(57)【要約】【課題】  絞り羽根の垂直方向の移動をガイドする案内溝を不要として，絞り羽根の水平方向の幅を狭くすることにより，絞り機構全体のサイズを小型化できる絞り機構を提供する。【解決手段】  絞り開口部１２ａが形成された支持基台部１２と，支持基台部１２に支持された第１，第２絞り羽根１４，１６と，第１，第２絞り羽根１４，１６を作動させる駆動部１８とを備えた絞り機構１０で，第１，第２絞り羽根１４，１６は，絞り開口部１２ａの開口面積を調節する光量調節部１４２，１６２と，光量調節部１４２，１６２の一側に位置する柄部１４４，１６４とから成り，支持基台部１２に，第１絞り羽根の光量調節部１４２及び／又は柄部１４４の外縁と第２絞り羽根の光量調節部１６２及び／又は柄部１６４の外縁にそれぞれ接する外側案内突起１２２と，第１絞り羽根の柄部１４４の内縁と第２絞り羽根の柄部１６４の内縁にそれぞれ接する内側案内突起１２４とを備えた。【選択図】    図１
2007057936.tif 000002
【特許請求の範囲】
【請求項１】
絞り開口部が形成された支持基台部と；
前記支持基台部に，互いに協動して前記絞り開口部の開口面積を調節するように支持された第１絞り羽根および第２絞り羽根と；
前記第１絞り羽根と前記第２絞り羽根とが互いに協動するように駆動する駆動部と；
を備えた絞り機構であって：
前記第１絞り羽根と前記第２絞り羽根は，それぞれ，前記絞り開口部の開口面積を調節する光量調節部と，前記光量調節部の一側に位置する柄部と，から成り，
前記支持基台部は，前記第１絞り羽根の光量調節部及び／又は柄部の外縁と前記第２絞り羽根の光量調節部及び／又は柄部の外縁にそれぞれ接する外側案内突起と，前記第１絞り羽根の柄部の内縁と前記第２絞り羽根の柄部の内縁にそれぞれ接する内側案内突起と，を備えることを特徴とする，絞り機構。
【請求項２】
前記外側案内突起の前記第１絞り羽根の光量調節部及び／又は柄部の外縁および前記第２絞り羽根の光量調節部及び／又は柄部の外縁との接触面と，前記内側案内突起の前記第１絞り羽根の柄部の内縁および前記第２絞り羽根の柄部の内縁との接触面をアール形状としたことを特徴とする，請求項１に記載の絞り機構。
【請求項３】
前記内側案内突起は，前記駆動部の近傍に設けられることを特徴とする，請求項１に記載の絞り機構。
【発明の詳細な説明】
【技術分野】
【０００１】
本発明は，絞り機構に係り，特に，テレビカメラや監視カメラ等に使用されるレンズ鏡胴の絞り機構に関する。
【背景技術】
【０００２】
一般に，テレビカメラや監視カメラ等に使用されるレンズ鏡胴の絞り機構は，絞り開口部が形成されたフレームに支持された絞り羽根を，所定の駆動機構により移動させることにより，絞り開口部の開口面積を調節できるように構成されている。このような絞り機構としては，例えば，上記フレームに支持された２枚の絞り羽根を，例えばアイリスメータ等の駆動機構を使用して光軸に対して垂直方向に移動させることにより，絞り開口部の開口面積を調節するものがある（例えば，特許文献１〜６を参照）。
【０００３】
特許文献１〜６に記載の絞り機構においては，絞り羽根の外縁部に，絞り羽根の光軸に対して垂直方向の移動をガイドするスリット状の案内溝が形成されており，この案内溝には，フレームに設けられた案内ピンが係合している。かかる構成により，絞り羽根は，上記案内溝に沿って光軸に対して垂直方向に直線移動することができる。
【０００４】
【特許文献１】特開２００３−１４０２２７号公報
【特許文献２】特開２０００−１４７５９３号公報
【特許文献３】特開平９−２４４０９５号公報
【特許文献４】特開平８−４３８７８号公報
【特許文献５】特開平６−２９４９８５号公報
【特許文献６】特開平６−６２３０８号公報
【発明の開示】
【発明が解決しようとする課題】
【０００５】
しかしながら，上記案内溝が絞り羽根に形成されていると，絞り羽根の幅（水平方向の長さ）が上記案内溝の幅の分だけ広くなり，絞り機構全体のサイズが大型化してしまうという問題があった。
【０００６】
そこで，本発明は，このような問題に鑑みてなされたもので，その目的は，絞り羽根の光軸に対して垂直方向の移動をガイドする案内溝を不要として，絞り羽根の水平方向の幅を狭くすることにより，絞り機構全体のサイズを小型化することが可能な，新規かつ改良された絞り機構を提供することにある。
【課題を解決するための手段】
【０００７】
上記課題を解決するために，本発明のある観点によれば，絞り開口部が形成された支持基台部と，支持基台部に互いに協動して絞り開口部の開口面積を調節するように支持された第１絞り羽根および第２絞り羽根と，第１絞り羽根と第２絞り羽根とが互いに協動するように駆動する駆動部と，を備える絞り機構が提供される。
【０００８】
上記絞り機構において，第１絞り羽根と第２絞り羽根はそれぞれ，絞り開口部の開口面積を調節する光量調節部と光量調節部の一側に位置する柄部とから成り，支持基台部は，第１絞り羽根の光量調節部及び／又は柄部の外縁と第２絞り羽根の光量調節部及び／又は柄部の外縁にそれぞれ接する外側案内突起と，第１絞り羽根の柄部の内縁と第２絞り羽根の柄部の内縁にそれぞれ接する内側案内突起とを備えることを特徴とする。
【０００９】
このように，本発明に係る絞り機構によれば，支持基台部に外側案内突起と内側案内突起とを備えることにより，第１絞り羽根および第２絞り羽根の光軸に対して垂直方向に移動をガイドすることができる。したがって，従来絞り羽根に設けられていた案内溝が不要となるため，絞り羽根の水平方向の幅を狭くすることができ，その結果，絞り機構全体のサイズを小型化することができる。
【００１０】
また，このように絞り機構のサイズを小型化することにより，レンズ本体を小型化でき，ドームカメラ等の監視カメラに取り付ける際など，より小径なドームカメラに対応可能となることで，付加価値を向上させることができる。
【００１１】
また，上記絞り機構において，外側案内突起の第１絞り羽根の光量調節部及び／又は柄部の外縁および第２絞り羽根の光量調節部及び／又は柄部の外縁との接触面と，内側案内突起の第１絞り羽根の柄部の内縁および第２絞り羽根の柄部の内縁との接触面をアール形状としてもよい。
【００１２】
このように，外側案内突起と第１絞り羽根および第２絞り羽根との接触面や，内側案内突起と第１絞り羽根および第２絞り羽根との接触面をアール形状とすることにより，外側案内突起及び内側案内突起と２枚の絞り羽根との接触が点接触となり，接触抵抗を小さくすることができる。これにより，第１絞り羽根および第２絞り羽根の光軸に対して垂直方向の移動をより円滑なものとすることができる。
【００１３】
また，上記絞り機構において，内側案内突起を駆動機構の近傍に設けるように構成してもよい。
【００１４】
このように，内側案内突起を駆動機構の近傍のデッドスペースに設けることにより，内側案内突起の設置スペースを別途確保する必要がないため，絞り機構全体のサイズをさらに小型化することができる。
【発明の効果】
【００１５】
以上説明したように，本発明によれば，支持基台部に内側案内突起と外側案内突起を設けることにより，絞り羽根の光軸に対して垂直方向の移動をガイドする案内溝が不要となるため，絞り羽根の水平方向の幅を狭くすることができ，これにより，絞り機構全体のサイズを小型化することができる。
【発明を実施するための最良の形態】
【００１６】
以下に添付図面を参照しながら，本発明の好適な実施の形態について詳細に説明する。なお，本明細書及び図面において，実質的に同一の機能構成を有する構成要素については，同一の符号を付することにより重複説明を省略する。
【００１７】
（本発明の一実施形態に係る絞り機構の全体構成）
まず，図１に基づいて，本発明の一実施形態に係る絞り機構の全体構成について説明する。なお，図１は，本実施形態に係る絞り機構１０の全体構成を示す正面図である。
【００１８】
図１に示すように，本実施形態に係る絞り機構１０は，本実施形態に係る支持基台部としてのフレーム１２と，フレーム１２上で支持された２枚の第１絞り羽根１４および第２絞り羽根１６と，第１絞り羽根１４と第２絞り羽根とが互いに協動するように第１絞り羽根１４および第２絞り羽根１６を駆動する駆動部１８と，第１絞り羽根１４および第２絞り羽根１６を絞り機構１０の正面側から押さえる押さえ板と（図示せず），を主に備える。
【００１９】
詳しくは後述するが，フレーム１２には絞り開口部１２ａが形成されており，第１絞り羽根１４と第２絞り羽根１６は，互いに協動して絞り開口部１２ａの開口面積（絞り）を調節するように，フレーム１２に支持されている。
【００２０】
次に，図１および図２〜図５に基づいて，本実施形態に係る絞り機構１０を構成する各部材の構成について詳細に説明する。なお，図２は，本実施形態における絞り機構１０を構成する支持基台部としてのフレーム１２の構成を示す正面図である。また，図３は，本実施形態における絞り機構１０を構成する第１絞り羽根１４および第２絞り羽根１６の構成を示す正面図である。また，図４は，本実施形態における絞り機構１０を構成する駆動部１８の構成を示す正面図であって，（ａ）は駆動部１８の外観構成を示し，（ｂ）は駆動部１８の内部構成を示している。また，図５は，本実施形態における絞り機構１０を構成する押さえ板２０の構成を示す図であって，（ａ）は正面図であり，（ｂ）は側面図である。
【００２１】
（本発明の一実施形態に係る支持基台部の構成）
図１および図２に示すように，フレーム１２は，フレーム本体部１２１と，外側案内突起１２２と，内側案内突起１２４と，補助突起１２６と，係合爪１２８とを有し，例えばポリカーボネート等の樹脂により形成される。
【００２２】
フレーム本体部１２１の中央部よりやや上側には，レンズ鏡胴（図示せず）内に入射した被写体光が通過する略円形状の絞り開口部１２ａが形成されており，この絞り開口部１２ａの位置において第１絞り羽根１４，第２絞り羽根１６により光量調節が行われるようになっている。第１絞り羽根１４および第２絞り羽根１６は，フレーム本体部１２１に載置され，フレーム本体部１２１に載置された第１絞り羽根１４と第２絞り羽根１６は，後述する押さえ板（図５参照）等により絞り機構１０の正面側（被写体光の入射側）から支持される。
【００２３】
また，図１および図２に示すように，外側案内突起１２２は，フレーム１２の外枠１２９に，第１絞り羽根１４の光量調節部１４２及び／又は柄部１４４の外縁と第２絞り羽根１６の光量調節部１６２及び／又は柄部１６４の外縁にそれぞれ接するように設けられる。また，内側案内突起１２４は，フレーム１２の中央部下側に形成された駆動部嵌合孔１２ｂの近傍に，第１絞り羽根１４の柄部１４４の内縁と第２絞り羽根１６の柄部１６４の内縁にそれぞれ接するように設けられる。かかる外側案内突起１２２および内側案内突起１２４は，本実施形態に係る絞り機構１０の特徴的構成要素であり，詳細については後述する。
【００２４】
補助突起１２６は，フレーム本体部１２１の左右両側に複数個設けられており，第１絞り羽根１４および第２絞り羽根１６が光軸に対して垂直方向に移動する際に，絞り羽根の光軸方向のがたつきが発生することを防止するための部材である。補助突起１２６は，例えば，本実施形態では左右各４個ずつ（合計８個）設けられているが，この場合に限られず，第１絞り羽根１４および第２絞り羽根１６の光軸方向のがたつきを防止できれば，補助突起１２６の数には特に制限は無い。また，補助突起１２６と第１，第２絞り羽根１４，１６との作動抵抗を減少させるために，補助突起１２６の先端部が略球面形状に形成されて，補助突起１２６と第１，第２絞り羽根１４，１６とが点接触するように構成することができる。
【００２５】
また，係合爪１２８は，フレーム１２の両側辺の４箇所に形成され，後述する押さえ板（図５参照）を係止して，押さえ板を固定支持するための部材である。
【００２６】
（本発明の一実施形態に係る第１絞り羽根および第２絞り羽根の構成）
次に，図１および図３に基づいて，第１絞り羽根１４および第２絞り羽根１６の構成について詳細に説明する。図３に示すように，第１絞り羽根１４と第２絞り羽根１６は，それぞれ，絞り開口部１２ａの開口面積を調節する光量調節部１４２，１６２と，光量調節部１４２，１６２の一側（本実施形態においては下側）に位置する柄部１４４，１６４とから成る。また，第１絞り羽根１４は，光量調節部１４２の柄部１４４と離隔側に，くさび形に切り欠かれた第１切り欠き線１４２ａを有し，第２絞り羽根１６は，光量調節部１６２の柄部１６４と近接側に，くさび形に切り欠かれた第２切り欠き線１６２ａを有する。さらに，第１絞り羽根１４の柄部１４４と第２絞り羽根１６の柄部１６４の一端（光量調節部１４２，１６２と反対側の端部）には，それぞれ，後述する駆動ピン（図４参照）と係合する溝１４４ａ，１６４ａが形成されている。なお，第１絞り羽根１４および第２絞り羽根１６は，例えばポリカーボネート等の樹脂により形成される。かかる第１絞り羽根１４，第２絞り羽根１６は，図１に示すように，フレーム１２のフレーム本体部１２１上に，この順に載置される。
【００２７】
（本発明の一実施形態に係る駆動部の構成）
次に，図１，図２および図４に基づいて，駆動部１８の構成について詳細に説明する。駆動部１８は，第１絞り羽根１４および第２絞り羽根１６を，例えばアイリスメータ等により光軸に対して垂直方向に動作させる部材である。駆動部１８には，図４（ｂ）に示すように，基台部１８１に，第１絞り羽根１４と第２絞り羽根１６とが互いに協動するように第１絞り羽根１４と第２絞り羽根１６とを連結するリンク部材１８０が設けられている。リンク部材１８０は，アーム１８２と，アーム１８２の中央部に位置する駆動軸１８３と，アーム１８２の両端に設けられた略円柱状の駆動ピン１８４とから成る。また，図４（ａ）に示すように，リンク部材１８０の一部を覆うようにコイル１８６が巻かれている。
【００２８】
駆動部１８は，図１に示すように，フレーム１２の背面側から，フレーム本体部１２１に形成された駆動部嵌合孔１２ｂと嵌合するように装着される。また，リンク部材１８０の駆動ピン１８４は，フレーム本体部１２１に形成された駆動溝１２ｃを貫通し，さらに第１絞り羽根１４の溝１４４ａおよび第２絞り羽根１６の溝１６４ａと係合する。このような構成において，リンク部材１８０のアーム１８２が駆動軸１８３を軸として回動すると，駆動ピン１８４が駆動溝１２ｃに沿って移動する。その結果，第１絞り羽根１４と第２絞り羽根１６とが互いに協動して光軸に対して垂直方向に動作し，これにより，絞り開口部１２ａの開口面積を調節することができる。
【００２９】
（本発明の一実施形態に係る押さえ板の構成）
次に，図１および図５に基づいて，押さえ板２０の構成について説明する。押さえ板２０は，図１および図５に示すように，その両側辺の４箇所で垂直に折り曲げられた折曲部２２の各係合孔２２ａが係合爪１２８に係止されることにより，フレーム１２に固定される。また，押さえ板２０の中央部付近には，レンズ鏡胴内に入射した被写体光が通過する開口部２０ａが形成されている。開口部２０ａは，フレーム１２の絞り開口部１２ａに対応する位置（絞り開口部１２ａと重なる位置）に形成されている。なお，係合爪１２８および折曲部２２の数は，本実施形態では４箇所であるが，この場合には限られず，押さえ板２０をフレーム１２に固定できるものであれば，特に制限されない。また，押さえ板２０は，第１絞り羽根１４および第２絞り羽根１６を支持するとともに，絞り機構１０内にゴミ等が侵入することを防止するためのものであり，金属のような折曲しにくい材質で形成されることが好ましい。このような金属としては，例えば，青銅，鉄等が挙げられる。一方，アルミニウムのような軟質の金属は適さない。
【００３０】
（本発明の一実施形態に係る外側案内突起および内側案内突起の構成）
次に，再び図１および図２に基づいて，本実施形態に係る絞り機構１０の特徴的構成要素である外側案内突起１２２および内側案内突起１２４について詳細に説明する。
【００３１】
図１および図２に示すように，外側案内突起１２２は，上述したように，フレーム１２の外枠１２９に，第１絞り羽根１４の光量調節部１４２及び／又は柄部１４４の外縁と第２絞り羽根１６の光量調節部１６２及び／又は柄部１６４の外縁にそれぞれ接するように設けられる。外側案内突起１２２は，第１絞り羽根１４と第２絞り羽根１６の光軸に対して垂直方向の移動の際に，外側へのがたつきを抑えるとともに，その移動をガイドすることができる。かかる外側案内突起１２２は，フレーム１２の外枠１２９の左右両側にそれぞれ３個ずつ（合計６個）設けられている。外側案内突起１２２の個数は特に限定はされないが，第１絞り羽根１４と第２絞り羽根１６の移動の際の外側へのがたつきを防止するという点を考慮すると，左右両側にそれぞれ少なくとも２個ずつ設けられることが好ましい。
【００３２】
また，駆動部１８は，３〜４Ｖ程度の比較的弱い動力を有するモータにより２枚の絞り羽根１４，１６を動作させるため，外側案内突起１２２と第１絞り羽根１４および第２絞り羽根１６との接触抵抗が高いと，２枚の絞り羽根１４，１６が円滑に動作しなくなってしまうおそれがある。したがって，外側案内突起１２２の先端，すなわち，外側案内突起１２２と第１絞り羽根１４の光量調節部１４２及び／又は柄部１４４の外縁および第２絞り羽根１６の光量調節部１６２及び／又は柄部１６４の外縁との接触面をアール形状としてもよい。これにより，外側案内突起１２２と２枚の絞り羽根１４，１６との接触が点接触となり，接触抵抗が小さくなるため，第１絞り羽根１４および第２絞り羽根１６の光軸に対して垂直方向の移動をより円滑なものとすることができる。
【００３３】
なお，本実施形態においては，外側案内突起１２２は，フレーム１２の外枠１２９と一体的に形成されているが，必ずしも一体的に形成される必要はなく，例えば，外側案内突起１２２を外枠１２９と別部材として形成した後に，外側案内突起１２２を外枠１２９に取り付けるようにしてもよい。
【００３４】
内側案内突起１２４は，上述したように，フレーム１２の中央部下側に形成された駆動部嵌合孔１２ｂの近傍に，第１絞り羽根１４の柄部１４４の内縁と第２絞り羽根１６の柄部１６４の内縁にそれぞれ接するように設けられる。内側案内突起１２４は，第１絞り羽根１４と第２絞り羽根１６の光軸に対して垂直方向の移動の際に，内側へのがたつきを抑えるとともに，その移動をガイドすることができる。かかる内側案内突起１２４は，駆動部１８が装着される駆動部嵌合孔１２ｂの近傍の左右両側に各１個ずつ（合計２個）設けられている。内側案内突起１２４の個数と位置は，第１絞り羽根１４と第２絞り羽根１６の移動の際の内側へのがたつきを防止することができれば，特に限定されない。ただし，絞り機構１０全体の小型化を図るという観点からは，内側案内突起１２４は，駆動部１８の近傍のデッドスペース等を利用して，絞り機構１０を小型化できる位置に設けられることが好ましい。
【００３５】
また，外側案内突起１２２の場合と同様に，内側案内突起１２４と第１絞り羽根１４および第２絞り羽根１６との接触抵抗が高いと，２枚の絞り羽根１４，１６が円滑に動作しなくなってしまうおそれがある。したがって，内側案内突起１２４の先端，すなわち，内側案内突起１２４と第１絞り羽根１４の柄部１４４の内縁および第２絞り羽根１６の柄部１６４の内縁との接触面をアール形状としてもよい。これにより，内側案内突起１２４と２枚の絞り羽根１４，１６との接触が点接触となり，接触抵抗が小さくなるため，第１絞り羽根１４および第２絞り羽根１６の光軸に対して垂直方向の移動をより円滑なものとすることができる。
【００３６】
また，外側案内突起１２２および内側案内突起１２４の大きさは，第１絞り羽根１４および第２絞り羽根１６と点接触できる程度の大きさを有していれば十分である。ただし，上述したように，フレーム１２は樹脂により形成されていることから，樹脂成形上問題のない程度，具体的には，外側案内突起１２２および内側案内突起１２４の水平方向（光軸および絞り羽根の移動方向に垂直な方向）の厚みが０．８ｍｍ以上あることが好ましい。
【００３７】
このように，本実施形態に係る絞り機構１０によれば，フレーム１２に外側案内突起１２２および内側案内突起１２４を設けることにより，第１絞り羽根１４および第２絞り羽根１６の光軸に対して垂直方向の移動をガイドすることができる。したがって，絞り羽根の光軸に対して垂直方向の移動をガイドするために，従来は絞り羽根の外縁部に形成されていた絞り羽根作動時のスリット状の案内溝が不要となるため，絞り羽根の水平方向の幅を狭くすることができ，その結果，絞り機構１０全体のサイズを小型化することができる。すなわち，本実施形態に係る絞り機構１０は，絞り羽根の外縁部に形成されるスリット状の案内溝を有しないということにより，絞り機構１０の小型化を実現したものである。
【００３８】
また，このように絞り機構１０のサイズを小型化することにより，レンズ本体を小型化でき，ドームカメラ等の監視カメラに取り付ける際など，より小径なドームカメラに対応可能となることで，付加価値を向上させることができる。
【００３９】
（本発明の一実施形態に係る絞り機構の動作）
次に，図６に基づいて，本実施形態に係る絞り機構１０の動作について説明する。なお，図６は，本実施形態に係る絞り機構１０の動作を説明するための平面図であり，（ａ）は，絞り開口部１２ａが開放している状態を示す図であり，（ｂ）は，絞り開口部１２ａが閉塞している状態を示す図である。また，図６においては，説明の便宜上，補助突起１２６，係合爪１２８および駆動部１８の基台部１８１は省略してある。
【００４０】
図６に示すように，２つの駆動ピン１８４は，駆動軸１８３に対して対象の位置に配置されるとともに，駆動軸１８３を軸として２つの駆動ピン１８４が協動して回動する。図６（ａ）に示すように，第１絞り羽根１４に係合している駆動ピン１８４が駆動溝１２ｃの上端に位置し（すなわち，第１絞り羽根１４が最も上方に位置する状態であり），第２絞り羽根１６に係合している駆動ピン１８４が駆動溝１２ｃの下端に位置している（すなわち，第２絞り羽根１６が最も下方に位置する状態である）場合には，絞り開口部１２ａの開口面積が最大となり，絞り開口部１２ａ全体を被写体光が通過できる状態となる。一方，図６（ａ）の状態から，２つの駆動ピン１８４が反時計周りに回動し，第１絞り羽根１４に係合している駆動ピン１８４が下方に向かって移動し（すなわち，第１絞り羽根１４が光軸に対して垂直方向下方に向かって移動し），第２絞り羽根１６に係合している駆動ピン１８４が上方に向かって移動する（すなわち，第２絞り羽根１６が光軸に対して垂直方向上方に向かって移動する）と，絞り開口部１２ａの開口面積は狭くなっていく。さらに，２つの駆動ピン１８４が反時計周りに回動し，図６（ｂ）に示すように，第１絞り羽根１４に係合している駆動ピン１８４が駆動溝１２ｃの下端に位置し（すなわち，第１絞り羽根１４が最も下方に位置する状態であり），第２絞り羽根１６に係合している駆動ピン１８４が駆動溝１２ｃの上端に位置している（すなわち，第２絞り羽根１６が最も上方に位置する状態である）場合には，絞り開口部１２ａの開口面積がゼロ，すなわち，絞り開口部１２ａが閉塞され，被写体光が絞り開口部１２ａを全く通過できない状態となる。
【００４１】
このようにして第１絞り羽根１４と第２絞り羽根１６が光軸に対して垂直方向に上下動する際に，本実施形態に係る絞り機構１０においては，フレーム１２に設けられた外側案内突起１２２および内側案内突起１２４が，２枚の絞り羽根１４，１６の動作をガイドするとともに，水平方向のがたつき（ぶれ）を防止することができる。具体的には，第１絞り羽根１４は，その外縁側に接触するフレーム１２の左側辺に設けられた３個の外側案内突起１２２と，その内縁側に接触する駆動部嵌合孔１２ｂの左上のデッドスペースに設けられた１個の内側案内突起１２４とにより左右両側から支持され，その光軸に対して垂直方向の移動がガイドされる。同様に，第２絞り羽根１６は，その外縁側に接触するフレーム１２の右側辺に設けられた３個の外側案内突起１２２と，その内縁側に接触する駆動部嵌合孔１２ｂの右上のデッドスペースに設けられた１個の内側案内突起１２４とにより左右両側から支持され，その光軸に対して垂直方向の移動がガイドされる。
【００４２】
このように，本実施形態に係る絞り機構１０においては，支持基台部としてのフレーム１２に設けられた外側案内突起１２２と内側案内突起１２４とにより，２枚の絞り羽根１４，１６の光軸に対して垂直方向に移動をガイドすることができる。したがって，従来絞り羽根に設けられていたような案内溝が不要となるため，絞り羽根の水平方向の幅を狭くすることができ，その結果，絞り機構１０全体のサイズを小型化することができる。
【００４３】
以上，添付図面を参照しながら本発明の好適な実施形態について説明したが，本発明は係る例に限定されないことは言うまでもない。当業者であれば，特許請求の範囲に記載された範疇内において，各種の変更例または修正例に想到し得ることは明らかであり，それらについても当然に本発明の技術的範囲に属するものと了解される。
【産業上の利用可能性】
【００４４】
本発明は，絞り機構に適用可能であり，特に，テレビカメラや監視カメラ等に使用されるレンズ鏡胴の絞り機構に適用可能である。
【図面の簡単な説明】
【００４５】
【図１】本発明の一実施形態に係る絞り機構の全体構成を示す正面図である。
【図２】同実施形態における絞り機構を構成する支持基台部の構成を示す正面図である。
【図３】同実施形態における絞り機構を構成する絞り羽根の構成を示す正面図である。
【図４】同実施形態における絞り機構を構成する駆動部の構成を示す正面図であり，（ａ）は駆動部の外観構成を示し，（ｂ）は駆動部の内部構成を示している。
【図５】同実施形態における絞り機構を構成する押さえ板の構成を示す構成を示す図であり，（ａ）は正面図であり，（ｂ）は側面図である。
【図６】同実施形態における絞り機構の動作を説明するための平面図であり，（ａ）は，絞り開口部が開放している状態を示す図であり，（ｂ）は，絞り開口部が閉塞している状態を示す図である。
【符号の説明】
【００４６】
１０      絞り機構
１２      フレーム（支持基台部）
１２ａ      絞り開口部
１４      第１絞り羽根
１６      第２絞り羽根
１８      駆動部
２０      押さえ板
１２２      外側案内突起
１２４      内側案内突起
１４２      第１絞り羽根の光量調節部
１４４      第１絞り羽根の柄部
１６２      第２絞り羽根の光量調節部
１６４      第２絞り羽根の柄部
１８０      リンク部材
１８４      駆動ピン
【図１】
2007057936.tif 000003
【図２】
2007057936.tif 000004
【図３】
2007057936.tif 000005
【図４】
2007057936.tif 000006
【図５】
2007057936.tif 000007
【図６】
2007057936.tif 000008